(57)【要約】【課題】  薬品に対してより高い耐久性を有する物品保管庫を提供する。【解決手段】  薬品保管庫１０を、前面が開口された筐体１１と、この筐体１１に対して前面側から出し入れ可能なラック本体１２とにより構成する。筐体１１を構成する側パネル１３、底パネル、天パネル１５等の各構成部材を、耐薬品性に優れるとともに自己消火性を有する合成樹脂によって成形する。また、ラック本体１２を構成する前板３２、側板３３、後板、底板等の各構成部材を、耐薬品性に優れるとともに自己消火性を有する合成樹脂によって成形する。さらに、筐体１１とラック本体１２との間には、構成部材である底パネル及び内側底パネルと、セラミック製のボールとによってスライド機構を構成する。【選択図】      図１
2007089790.tif 000002
【特許請求の範囲】
【請求項１】
耐薬品性を有する合成樹脂の成形品からなる構成部材、及び、同合成樹脂によって被覆された複合材からなる構成部材の少なくとも一方によって形成したことを特徴とする物品保管庫。
【請求項２】
前面が開口された筐体と、この筐体に対して前面側から出し入れ可能なラック本体とからなるとともに、同筐体と同ラック本体との間には、前記構成部材とセラミック製のボールとによってスライド機構を構成したことを特徴とする請求項１に記載の物品保管庫。
【発明の詳細な説明】
【技術分野】
【０００１】
この発明は、薬品等を保管するための物品保管庫に関するものである。
【背景技術】
【０００２】
従来、この種の物品保管庫としては、例えば特許文献１に記載されたものがある。この物品保管庫は薬品保管用であって、前面が開口された筐体と、この筐体に対して前面側から出し入れ可能なラック本体とからなるとともに、この筐体及びラック本体は共にステンレススチール製とされている。さらに、筐体とラック本体との間には、周知のステンレススチール製のスライドレールが設けられている。
【特許文献１】特開２００５−１１２５３６号公報
【発明の開示】
【発明が解決しようとする課題】
【０００３】
しかしながら、ステンレススチールであっても、薬品によっては変色やふくれを起こし、さらには錆びる。このため、筐体やラック本体の表面の見栄えが悪くなったり、スライドレールが円滑に動作しなくなってラック本体を引き出しにくくなったりすることが避けられなかった。
【０００４】
この発明の目的は、薬品に対してより高い耐久性を有する物品保管庫を提供することにある。
【課題を解決するための手段】
【０００５】
上記の目的を達成するために、請求項１に記載の発明は、耐薬品性を有する合成樹脂の成形品からなる構成部材、及び、同合成樹脂によって被覆された複合材からなる構成部材の少なくとも一方によって形成したことを特徴とする。
【０００６】
請求項２に記載の発明は、請求項１に記載の発明に加えて、前面が開口された筐体と、この筐体に対して前面側から出し入れ可能なラック本体とからなるとともに、同筐体と同ラック本体との間には、前記構成部材とセラミック製のボールとによってスライド機構を構成したことを特徴とする。
【発明の効果】
【０００７】
この発明によれば、耐薬品性を有する合成樹脂の成形品、又は、同合成樹脂によって被覆された複合材からなる構成部材が、薬品に対してステンレススチールよりも高い耐久性を発揮する。従って、薬品に対してより高い耐久性を有する物品保管庫を提供することができる。
【０００８】
また、前面が開口された筐体と、この筐体に対して前面側から出し入れ可能なラック本体とにより物品保管庫を構成するとともに、同筐体と同ラック本体との間に、構成部材とセラミック製のボールとによってスライド機構を構成することが好ましい。この場合には、この場合には、前面が開口された筐体と、この筐体に対して前面側から出し入れ可能なラック本体とから構成される物品保管庫において、薬品に対する耐久性を低下させることなく、筐体に対するラック本体の出し入れを円滑に行うことができる
【発明を実施するための最良の形態】
【０００９】
次に、この発明を薬品保管庫に具体化した一実施形態について図１〜図６に従って説明する。
図１は、薬品保管庫１０を３つ横に並べた状態を示す。各薬品保管庫１０は、前面が開口された箱体状の筐体１１と、この筐体１１に対してその前面側から出し入れ可能なラック本体１２とを備えている。
【００１０】
図２（ａ）〜（ｃ）に示すように、上下に長い箱体状の筐体１１は、その左右両側を形成する矩形の一対の側パネル１３、底側を形成する矩形の底パネル１４、天側を形成する天パネル１５、及び、裏側を形成する裏パネル１６によって基本的に構成されている。天パネル１５の下側には、この天パネル１５と同じ厚さの内側天パネル１７が設けられるとともに、底パネル１４の上側には、この底パネル１４よりも厚さの薄い内側底パネル１８が設けられている。底パネル１４の下方に延出された両側パネル１３の下端部間には、底パネル１４の下面と両側パネル１３の下端との間の隙間を埋める板材２４が設けられている。これら、側パネル１３、底パネル１４、天パネル１５、裏パネル１６、内側天パネル１７、内側底パネル１８及び板材２４はいずれも筐体１１の構成部材であって、耐薬品性に優れるとともに自己消火性を有する合成樹脂（例えば、フェノール系樹脂。）によって成形されている。そして、筐体１１は、金属ビスや釘を用いることなく、例えば各構成部材を接着することによって組み立てられている。また、両側パネル１３の各内側面において筐体１１の開口部上部に対応する位置には、突起状のストッパ１９が設けられている。ストッパ１９は、ＡＢＳ（Acrylonitrile butadiene styrene ）樹脂によって成形されている。
【００１１】
図３に示すように、底パネル１４の上面における幅方向の両側には、縦断面が半球形状をなす複数個の凹部２０が奥行き方向に等間隔でそれぞれ設けられ、各凹部２０の内側にはセラミック製のボール２１の下半分が入れられている。底パネル１４の上側に配置される内側底パネル１８には、底パネル１４の各凹部２０に対応する位置毎に、縦断面が倒椀形状の孔２２が設けられ、各孔２２内には、ボール２１の上部が配置されている。そして、各ボール２１は、底パネル１４の凹部２０と内側底パネル１８の孔２２とにより底パネル１４と内側底パネル１８との間において回転可能に保持されるとともに内側底パネル１８の各孔２２を通じてその上面から頭を出すようになっている。この底パネル１４、内側底パネル１８及びボール２１により、筐体１１に対してラック本体１２を円滑に移動させるための下側スライド機構２３が構成されている。
【００１２】
図４（ａ）〜（ｅ）に示すように、２段のラック部３０を有するラック本体１２は、前面中央につまみ３１が設けられた矩形の前板３２、左右両側を形成する左右一対の側板３３、後側を形成するとともに両側板間に挟まれた後板３４、及び、底側を形成するとともに両側板３３間に挟まれた底板３５によって基本的に構成されている。各側板３３は、略「口」形状とされ、そのと横方向に延びる部分（以下、横部３３ａ，３３ｂという。）の両端位置には、前板３２に対面する前壁３７と、後板３４に対面する後壁３８とがそれぞれ設けられている。また、側板３３の上側に位置する横部３３ａ間における前壁３７と後壁３８との間には、棚板３９が設けられている。そして、同両横部３３ａ、前壁３７、後壁３８及び棚板３９により、上側に位置するラック部３０が構成されている。また、両側板３３の下側に位置する横部３３ｂ、前壁３７、後壁３８及び底板３５により、下側に位置するラック部３０が構成されている。これら、前板３２、側板３３、後板３４、底板３５、前壁３７、後壁３８及び棚板３９はいずれもラック本体１２の構成部材であって、前記筐体１１の各構成部材と同様に、耐薬品性に優れるとともに自己消火性を有する合成樹脂によって成形されている。そして、ラック本体１２は、金属ビスや釘を用いることなく、例えば各構成部材を接着することによって組み立てられている。各ラック部３０における両横部３３ａ，３３ｂの内側には、横方向において等間隔に複数の図示しない溝がそれぞれ設けられ、各溝には、ラック部３０内を区画する仕切り板５６（図５（ａ）〜（ｃ）に図示）が入れられるようになっている。
【００１３】
また、図４（ａ）〜（ｅ）に示すように、両側板３３、後板３４及び後壁３８によって区画形成される空間部の上側開口は、蓋体４０によって閉塞されている。蓋体４０の上方に延出する両側板３３の上端部間には、セラミック製の一対のボール４１を回転可能に保持する支持板４２及び副支持板４３が積層状態で設けられている。この支持板４２は、前記底パネル１４の凹部２０と同様の図示しない凹部を備えるとともに、副支持板４３は、前記内側底パネル１８の孔２２と同様の孔を備え、この凹部と孔とによってボール４１が回転可能に保持されている。そして、ボール４１、支持板４２及び副支持板４３により、筐体１１に対してラック本体１２を円滑に移動させるための上側スライド機構２５が構成されている。これら蓋体４０、支持板４２及び副支持板４３はいずれもラック本体１２の構成部材であって、耐薬品性に優れるとともに自己消火性を有する合成樹脂によって成形されている。
【００１４】
また、図４（ａ），（ｂ）に示すように、底板３５の下面における前端部には、ラック本体１２を筐体１１から引き出したときにラック本体１２の前部を床面上に支持するためのボールキャスター４４が設けられている。このボールキャスター４４は、合成樹脂製のホルダ４５、及び、メラミン系樹脂がコーティングされるとともにホルダ４５内に保持されたボール４６を備えるとともに、ホルダ４５とボール４６との間には、図示しないセラミック製の小ボールが配置されている。また、前板３２、両側板３３及び前壁３７によって区画形成される空間部の上部には、既製のマグネット式ロック錠４７が設けられている。このマグネット式ロック錠４７は、その全体がメラミン系樹脂によりコーティングされている。又、マグネット式ロック錠４７は、薬品保管庫１０の外側からは目視できないように取り付けられるようになっており、マグネット式ロック錠４７の有無が外側からは分らないようになっている。
【００１５】
また、図４（ａ），（ｄ），（ｅ）に示すように、ラック本体１２の前壁３７及び後壁３８のラック部３０側の各面上には、横方向に延びるとともに互いに対面する凸条部４８の組が異なる高さで複数組設けられ、この凸条部４８間には、取り付け及び取り外し可能なトレイ５０が支持されている。この凸条部４８も、耐薬品性に優れるとともに自己消火性を有する合成樹脂によって成形されている。
【００１６】
図５（ａ）〜（ｃ）に示すように、トレイ５０は、その前側を形成する前端板５１と、その後側を形成する後端板５２と、底側を形成する底板５３と、前端板５１、後端板５２及び底板５３を両側から挟む一対の側板５４とによって構成されている。これら、前端板５１、後端板５２、底板５３及び両側板５４はいずれもトレイ５０の構成部材であって、筐体１１及びラック本体１２の構成部材と同様に、耐薬品性に優れるとともに自己消火性を有する合成樹脂によって成形されている。そして、トレイ５０は、例えば各構成部材を接着することで組み立てられている。各側板５４の内側には、横方向において等間隔に複数の溝５５が設けられ、各溝５５には、トレイ５０内を区画する仕切り板５６が取り外し可能に入れられるようになっている。また、前端板５１の前面下端部と、後端板５２の後面下端部とには、前記ラック本体１２の凸条部４８に係合可能な切欠き部５１ａ，５２ａが設けられている。そして、トレイ５０は、図４（ａ），（ｅ）及び図６に示すように、ラック本体１２において前後で対応する一対の凸条部４８に切欠き部５１ａ，５２ａを係合させることによって支持される。
【００１７】
さて、上記のように構成された薬品保管庫１０において、図１に示す左端及び中央の薬品保管庫１０のように、筐体１１の内部にラック本体１２が収められているときには、下側スライド機構２３の各ボール２１がラック本体１２の底板３５の下面に当接し、各ボール２１を介してラック本体１２が筐体１１に支持される。また、ラック本体１２の後部上端に設けられた上側スライド機構２５の一対のボール４１が、筐体１１の内側天パネル１７の下面に当接する。この状態から、使用者が、ラック本体１２のつまみ３１を把持して手前側に引くと、図１に示す右端の薬品保管庫１０のように、筐体１１からラック本体１２が引き出される。このとき、ラック本体１２は、下側スライド機構２３の各ボール２１の回転と、上側スライド機構２５の各ボール４１の回転とにより、筐体１１内から円滑に引き出される。そして、筐体１１から引き出されたラック本体１２は、その後部上端にストッパ１９が係合することにより、筐体１１からの脱落が防止される。また、筐体１１から引き出されたラック本体１２の前部は、ラック本体１２や薬品瓶の重さによって下がろうとするが、ラック本体１２の前部に設けられたボールキャスター４４が床面に当接するため、殆ど下がることなく保持される。この状態において、使用者は、各ラック部３０又はトレイ５０に薬品の瓶や容器を載置する。その後、使用者が、ラック本体１２を筐体１１側に押すと、ラック本体１２が筐体１１内に押し込まれる。
【００１８】
以上説明したこの実施の形態によれば、薬品保管庫１０の筐体１１及びラック本体１２が、耐薬品性を有する合成樹脂の成形品からなる側パネル１３、底パネル１４、天パネル１５、裏パネル１６等の構成部材によって形成されている。そして、各構成部材が、薬品に対してステンレススチールよりも高い耐久性を発揮する。このため、筐体１１やラック本体１２の各部材に薬品が付着しても、その各部材の表面が変色やふくれを起こすことはなく、さらには錆びることがない。
【００１９】
また、筐体１１とラック本体１２との間には、筐体１１の底パネル１４及び内側底パネル１８と、セラミック製のボール２１とによって下側スライド機構２３が構成されている。このため、薬品に対する耐久性を低下させることなく、筐体１１に対するラック本体１２の出し入れを円滑に行うことができる。
【００２０】
なお、この実施形態は、次のように変更して具体化することもできる。
・  ハニカム構造の芯材と、この芯材の両面に接着された板材とを備えるとともにその表面全体が、耐薬品性に優れた合成樹脂で被覆された複合材によって、側パネル、天パネル、底パネル等の構成部材を形成し、この構成部材によって物品保管庫を形成する。または、同合成樹脂の成形品からなる構成部材と、前記複合材とによって物品保管庫を形成する。このいずれの場合にも、上記実施形態の各効果を得ることができる。
【００２１】
・  この発明を、前面が開口された筐体と、この筐体に対して前面側から出し入れ可能な引き出しを備えた薬品保管庫に具体化する。
・  この発明を、前面が開口された筐体と、この筐体の前面を開閉する扉とを備えた薬品保管庫に具体化する。この場合には、筐体に扉を支持する蝶番全体を、耐薬品性に優れるとともに自己消火性を有する合成樹脂によって被覆する。
【図面の簡単な説明】
【００２２】
【図１】一実施形態の薬品保管庫を示す斜視図。
【図２】（ａ）は筐体を示す縦断面図、（ｂ）は同じく正面図、（ｃ）は（ｂ）におけるａ−ａ線断面図。
【図３】スライド機構を示す分解斜視図。
【図４】（ａ）はラック本体を示す側面図、（ｂ）は同じく正面図、（ｃ）は同じく平面図、（ｄ）は（ａ）におけるｂ−ｂ線断面図、（ｅ）は同じくｃ−ｃ線断面図。
【図５】（ａ）はトレイを示す平面図、（ｂ）は同じく正面図、（ｃ）は同じく側面図。
【図６】ラック本体を示す側面図。
【符号の説明】
【００２３】
１０…物品保管庫としての薬品保管庫、１１…筐体、１２…ラック本体、１３…構成部材としての側パネル、１４…同じく底パネル、１５…同じく天パネル、１６…同じく裏パネル、１７…同じく内側天パネル、１９…同じく内側底パネル、２１…ボール、２３…下側スライド機構、２５…上側スライド機構、３２…構成部材としての前板、３３…同じく側板、３４…同じく後板、３５…同じく底板、３７…同じく前壁、３８…同じく後壁、３９…同じく棚板、４０…同じく蓋体、４２…同じく支持板、４３…同じく副支持板、５１…同じく前端板、５２…同じく後端板、５３…同じく底板、５４…同じく側板。
【図１】
2007089790.tif 000003
【図２】
2007089790.tif 000004
【図３】
2007089790.tif 000005
【図４】
2007089790.tif 000006
【図５】
2007089790.tif 000007
【図６】
2007089790.tif 000008